(57)【要約】【課題】照明機能と画像表示機能の両方を有する電球型の照明装置を少なくとも１個含む複数の照明装置を制御することができる照明システム、照明方法および照明プログラムを提供する。【解決手段】照明システムは、親器１と、前記親器１により制御される複数の照明装置１１−１〜１１−Ｎと、を備え、前記複数の照明装置１１−１〜１１−Ｎのうちの少なくとも１個は、照明機能と画像表示機能を有し、共通または別個に設けられる照明用の光源および画像表示用の光源と、前記画像表示用の光源からの光を画像表示用の画像情報に基づいて変調して画像光を形成する画像形成部と、前記画像形成部により形成された画像光を投写面に投写するレンズと、照明装置取り付け具に電気的に接続することが可能な接続部と、を備える電球型の照明装置である。【選択図】図１
2014032750.tif 000002
【特許請求の範囲】
【請求項１】
親器と、前記親器により制御される複数の照明装置と、を備え、
前記複数の照明装置のうちの少なくとも１個は、照明機能と画像表示機能を有し、共通
または別個に設けられる照明用の光源および画像表示用の光源と、前記画像表示用の光源
からの光を画像表示用の画像情報に基づいて変調して画像光を形成する画像形成部と、前
記画像形成部により形成された画像光を投写面に投写するレンズと、照明装置取り付け具
に電気的に接続することが可能な接続部と、を備える電球型の照明装置である、
ことを特徴とする照明システム。
【請求項２】
前記親器は、
複数のシーンのそれぞれについて、前記複数の照明装置のそれぞれにおける照明照射に
関する条件および画像表示に関する条件を規定するデータであるシーンデータを記憶する
シーンデータ記憶部と、
ユーザーにより操作されて、前記複数のシーンのうちのいずれか１つのシーンの指定を
受け付けるシーン操作部と、
前記シーン操作部により指定されたシーンに対応して前記シーンデータ記憶部に記憶さ
れるシーンデータで規定される前記照明照射に関する条件および前記画像表示に関する条
件に基づいて、前記複数の照明装置のそれぞれを制御する制御部と、を備える、
ことを特徴とする請求項１に記載の照明システム。
【請求項３】
前記親器は、
ユーザーにより操作されて、複数のシーンのそれぞれについて前記複数の照明装置のそ
れぞれにおける照明照射に関する条件および画像表示に関する条件を規定するデータであ
るシーンデータにより規定される前記複数の照明装置のそれぞれにおける照明照射に関す
る条件および画像表示に関する条件を設定する設定部を備える、
ことを特徴とする請求項１または請求項２に記載の照明システム。
【請求項４】
前記親器は、
ユーザーにより操作されて、照明のみ、画像のみ、または照明と画像の連動のうちのい
ずれか１つを選択する照明・画像選択部を備え、
前記制御部は、前記照明・画像選択部により照明のみが選択された場合には、前記複数
の照明装置により照明照射のみを実行させるように制御し、また、前記照明・画像選択部
により画像のみが選択された場合には、前記複数の照明装置により画像表示のみを実行さ
せるように制御し、また、前記照明・画像選択部により照明と画像の連動が選択された場
合には、前記複数の照明装置により照明照射および画像表示を実行させるように制御する
、
ことを特徴とする請求項１から請求項３のいずれか１項に記載の照明システム。
【請求項５】
少なくとも１個は、照明機能と画像表示機能を有し、共通または別個に設けられる照明
用の光源および画像表示用の光源と、前記画像表示用の光源からの光を画像表示用の画像
情報に基づいて変調して画像光を形成する画像形成部と、前記画像形成部により形成され
た画像光を投写面に投写するレンズと、照明装置取り付け具に電気的に接続することが可
能な接続部と、を備える電球型の照明装置である複数の照明装置を親器が制御するステッ
プを
有することを特徴とする照明方法。
【請求項６】
少なくとも１個は、照明機能と画像表示機能を有し、共通または別個に設けられる照明
用の光源および画像表示用の光源と、前記画像表示用の光源からの光を画像表示用の画像
情報に基づいて変調して画像光を形成する画像形成部と、前記画像形成部により形成され
た画像光を投写面に投写するレンズと、照明装置取り付け具に電気的に接続することが可
能な接続部と、を備える電球型の照明装置である複数の照明装置を親器が制御する手順を
、
コンピューターに実行させるための照明プログラム。
【発明の詳細な説明】
【技術分野】
【０００１】
本発明は、照明システム、照明方法および照明プログラムに関する。
【背景技術】
【０００２】
特許文献１に開示された、照明空間に設置された複数の照明器具と、前記複数の照明器
具をシーン毎に調光制御する照明コントローラーと、前記照明コントローラーのシーン設
定を行うリモートコントローラーを備える照明システムが知られている（特許文献１参照
。）。
この照明システムでは、前記照明コントローラーは、前記照明空間を撮像する撮像部と
、前記撮像部で撮像した画像から前記リモートコントローラーの複数の位置を検出して演
算し、シーンを再生するシーンエリアを設定する演算部と、前記シーンエリアに対応して
前記リモートコントローラーの発信するシーンデータを記憶する記憶部と、前記シーンデ
ータに基づいて、前記照明器具の点灯制御を行うための点灯制御信号を生成する制御部と
、前記点灯制御信号に基づいて、前記照明器具に調光信号を出力する調光信号出力部と、
を有し、前記制御部は、前記撮像部で撮像した画像から前記設定したシーンエリアに人が
居ることを検知した場合に、当該シーンエリアに対応する前記シーンデータに基づいて、
前記点灯制御信号を生成する。
しかしながら、このような照明システムでは、逐一人がどこにいるのかを撮像する必要
があり、非常に手間が掛かるという問題があった。
【０００３】
また、特許文献２に開示された、照明空間に配置された複数の照明負荷の明るさを調光
制御するライトコントローラーが知られている（特許文献２参照。）。
このライトコントローラーでは、前記複数の照明負荷は、２つの回路に分けて構成され
、あらかじめ二次元的に表現して設定された前記照明空間のイメージから、所望のイメー
ジポイントを選択するイメージポイント選択手段と、選択した前記イメージポイントを表
示するイメージポイント表示手段と、あらかじめ前記空間のイメージに対応して前記２つ
の回路毎に設定された調光レベルの範囲の、選択した前記イメージポイントにおける調光
レベルの範囲で、前記２つの回路にそれぞれ接続された前記照明負荷に出力する調光信号
を制御する調光信号制御手段と、制御された前記調光信号を出力する調光信号出力手段と
、を具備する。
このようなライトコントローラーにより、例えば、リビングルームでユーザーの雰囲気
に応じて明るさを変えることができ、ユーザーにより空間演出をより手軽に楽しむことが
できる。
【先行技術文献】
【特許文献】
【０００４】
【特許文献１】特開２００９−２３８３９９号公報
【特許文献２】特開２００９−２２４２２０号公報
【発明の概要】
【発明が解決しようとする課題】
【０００５】
しかしながら、特許文献１、２に開示されたような従来の技術では、照明の調整は行わ
れるが、画像を含めた空間演出に関しては全く開示されていない。
例えば、近年、ホーム市場にも画像機器が非常に沢山導入されるようになってきている
。具体的には、テレビジョン（ＴＶ）、パーソナルコンピュータ、タブレット型コンピュ
ーターなどの携帯端末、携帯電話、デジタルスチルカメラ（デジカメ）、デジタルカムコ
ーダ（デジカム）など、沢山ある。これらから得られる画像を様々な場所で、様々なシー
ン（例えば、１人で静かに見るシーン、皆でわいわい見るシーン、落ち着いた雰囲気のシ
ーンなど）で楽しみたい人が増えてきている。
【０００６】
本発明は、前記の点に鑑みてなされたものであり、照明機能と画像表示機能の両方を有
する電球型の照明装置を少なくとも１個含む複数の照明装置を制御することができる照明
システム、照明方法および照明プログラムを提供することを目的とする。
【課題を解決するための手段】
【０００７】
本発明は、上記の課題を解決するためになされたものであり、親器と、前記親器により
制御される複数の照明装置と、を備え、前記複数の照明装置のうちの少なくとも１個は、
照明機能と画像表示機能を有し、共通または別個に設けられる照明用の光源および画像表
示用の光源と、前記画像表示用の光源からの光を画像表示用の画像情報に基づいて変調し
て画像光を形成する画像形成部と、前記画像形成部により形成された画像光を投写面に投
写するレンズと、照明装置取り付け具に電気的に接続することが可能な接続部と、を備え
る電球型の照明装置である、ことを特徴とする照明システムである。
【０００８】
この構成により、親器では、少なくとも１個は前記のように照明機能と画像表示機能を
有する電球型の照明装置である複数の照明装置を制御する。これにより、照明システムは
、照明機能と画像表示機能の両方を有する電球型の照明装置を少なくとも１個含む複数の
照明装置を制御することができる。
【０００９】
また、本発明は、前記親器は、複数のシーンのそれぞれについて、前記複数の照明装置
のそれぞれにおける照明照射に関する条件および画像表示に関する条件を規定するデータ
であるシーンデータを記憶するシーンデータ記憶部と、ユーザーにより操作されて、前記
複数のシーンのうちのいずれか１つのシーンの指定を受け付けるシーン操作部と、前記シ
ーン操作部により指定されたシーンに対応して前記シーンデータ記憶部に記憶されるシー
ンデータで規定される前記照明照射に関する条件および前記画像表示に関する条件に基づ
いて、前記複数の照明装置のそれぞれを制御する制御部と、を備える、ことを特徴とする
照明システムである。
【００１０】
この構成により、親器では、シーンデータ記憶部により複数のシーンのそれぞれについ
てシーンデータを記憶し、制御部が、シーン操作部がユーザーにより操作されて指定され
たシーンに対応したシーンデータに基づいて、複数の照明装置のそれぞれにおける照明照
射および画像表示を制御する。これにより、照明システムは、照明機能と画像表示機能の
両方を有する電球型の照明装置を少なくとも１個含む複数の照明装置を効果的に制御する
ことができる。
【００１１】
また、本発明は、前記親器は、ユーザーにより操作されて、複数のシーンのそれぞれに
ついて前記複数の照明装置のそれぞれにおける照明照射に関する条件および画像表示に関
する条件を規定するデータであるシーンデータにより規定される前記複数の照明装置のそ
れぞれにおける照明照射に関する条件および画像表示に関する条件を設定する設定部を備
える、ことを特徴とする照明システムである。
【００１２】
この構成により、親器では、設定部が、ユーザーにより操作されて、複数のシーンのそ
れぞれについて、複数の照明装置のそれぞれにおける照明照射に関する条件および画像表
示に関する条件を設定する。これにより、照明システムは、複数のシーンのそれぞれにつ
いて、ユーザーの好みなどに合わせて照明照射に関する条件および画像表示に関する条件
を設定することができ、照明機能と画像表示機能の両方を有する電球型の照明装置を少な
くとも１個含む複数の照明装置を効果的に制御することができる。
【００１３】
また、本発明は、前記親器は、ユーザーにより操作されて、照明のみ、画像のみ、また
は照明と画像の連動のうちのいずれか１つを選択する照明・画像選択部を備え、前記制御
部は、前記照明・画像選択部により照明のみが選択された場合には、前記複数の照明装置
により照明照射のみを実行させるように制御し、また、前記照明・画像選択部により画像
のみが選択された場合には、前記複数の照明装置により画像表示のみを実行させるように
制御し、また、前記照明・画像選択部により照明と画像の連動が選択された場合には、前
記複数の照明装置により照明照射および画像表示を実行させるように制御する、ことを特
徴とする照明システムである。
【００１４】
この構成により、親器では、照明・画像選択部が、ユーザーにより操作されて、照明の
み、画像のみ、または照明と画像の連動のうちのいずれか１つを選択し、制御部が、照明
のみ、画像のみ、または照明と画像の連動のうちで、選択されたものに応じて、複数の照
明装置のそれぞれを制御する。これにより、照明システムは、照明機能と画像表示機能の
両方を有する電球型の照明装置を少なくとも１個含む複数の照明装置を効果的に制御する
ことができる。
【００１５】
また、本発明は、少なくとも１個は、照明機能と画像表示機能を有し、共通または別個
に設けられる照明用の光源および画像表示用の光源と、前記画像表示用の光源からの光を
画像表示用の画像情報に基づいて変調して画像光を形成する画像形成部と、前記画像形成
部により形成された画像光を投写面に投写するレンズと、照明装置取り付け具に電気的に
接続することが可能な接続部と、を備える電球型の照明装置である複数の照明装置を親器
が制御するステップを有することを特徴とする照明方法である。
【００１６】
この方法により、親器では、少なくとも１個は前記のように照明機能と画像表示機能を
有する電球型の照明装置である複数の照明装置を制御する。これにより、照明システムは
、照明機能と画像表示機能の両方を有する電球型の照明装置を少なくとも１個含む複数の
照明装置を制御することができる。
【００１７】
また、本発明は、少なくとも１個は、照明機能と画像表示機能を有し、共通または別個
に設けられる照明用の光源および画像表示用の光源と、前記画像表示用の光源からの光を
画像表示用の画像情報に基づいて変調して画像光を形成する画像形成部と、前記画像形成
部により形成された画像光を投写面に投写するレンズと、照明装置取り付け具に電気的に
接続することが可能な接続部と、を備える電球型の照明装置である複数の照明装置を親器
が制御する手順を、コンピューターに実行させるための照明プログラムである。
【００１８】
このプログラムにより、親器では、少なくとも１個は前記のように照明機能と画像表示
機能を有する電球型の照明装置である複数の照明装置を制御する。これにより、照明シス
テムは、照明機能と画像表示機能の両方を有する電球型の照明装置を少なくとも１個含む
複数の照明装置を制御することができる。
【００１９】
以上のように、本発明によれば、親器では、少なくとも１個は前記のように照明機能と
画像表示機能を有する電球型の照明装置である複数の照明装置を制御する。これにより、
照明システムは、照明機能と画像表示機能の両方を有する電球型の照明装置を少なくとも
１個含む複数の照明装置を制御することができる。
【図面の簡単な説明】
【００２０】
【図１】本発明の一実施形態に係る照明システムの概略的な構成例を示すブロック図である。
【図２】本発明の一実施形態に係る親器の概略的な構成例を示すブロック図である。
【図３】本発明の一実施形態に係る照明・画像選択部を構成する切り替えスイッチの概略的な一構成例を示す図である。
【図４】本発明の一実施形態に係る親器においてシーン設定を行う処理の手順の一例を示す図である。
【図５】照明機能と画像表示機能（この例では、画像投写機能）の両方を有する電球型の照明装置の構成例を模式的に示す図である。
【図６】照明機能と画像表示機能（この例では、画像投写機能）の両方を有する電球型の照明装置の画像投写に関する光学系の構成例を模式的に示す図である。
【図７】照明機能と画像表示機能（この例では、画像投写機能）の両方を有する電球型の照明装置において行われる処理の手順の一例を示す図である。
【発明を実施するための形態】
【００２１】
本発明の一実施形態について図面を参照して詳細に説明する。
なお、本願明細書では、画像は動画像と静止画像を含む概念であり、映像は動画像を表
す。
また、動画像（映像）を処理することと、当該動画像（映像）を構成する画像フレーム
（静止画像）を処理することとで、同様な結果が得られる場合には、いずれか任意の処理
が用いられてもよく、互いの処理が置換された構成が用いられてもよい。
【００２２】
［照明システムの説明］
図１は、本発明の一実施形態に係る照明システムの概略的な構成例を示すブロック図で
ある。
本実施形態に係る照明システムは、親器１と、複数（本実施形態では、複数であるＮ個
）の照明装置１１−１〜１１−Ｎを備える。
親器１と各照明装置１１−１〜１１−Ｎとは、それぞれ、有線の回線を介して接続され
ている。なお、有線の回線の代わりに、または、有線の回線とともに、無線の回線が用い
られてもよい。
また、複数の照明装置１１−１〜１１−Ｎは、シーンの提供（本実施形態では、照明照
射および画像表示）の対象となる空間（照明空間）に照明照射および画像表示を行うよう
に配置される。
【００２３】
本実施形態では、複数の照明装置１１−１〜１１−Ｎのうちの少なくとも１個は、照明
機能（照明器具の機能）と画像表示機能（画像表示装置の機能）の両方を有する電球型の
照明装置（照明器具）である。
また、複数の照明装置１１−１〜１１−Ｎのうちの全てが照明機能と画像表示機能の両
方を有する電球型の照明装置である場合以外については、他の照明装置としては、様々な
ものが用いられてもよく、例えば、照明機能と画像表示機能の両方を有する照明装置（電
球型ではないもの）が用いられてもよく、または、照明機能のみを有する照明装置が用い
られてもよい。
なお、画像表示機能としては、例えば、非常に小さいもの（ピコプロジェクターの機能
）を用いることが可能である。
【００２４】
図２は、本発明の一実施形態に係る親器１の概略的な構成例を示すブロック図である。
本実施形態に係る親器１は、設定部１０１と、画像情報取得部１０２と、シーン操作部
１０３と、照明・画像選択部１０４と、画像情報記憶部１０５と、シーンデータ記憶部１
０６と、表示部１０７と、露光・画像情報信号出力部１０８と、制御部１０９を備える。
本実施形態では、これらの処理部１０１〜１０９により、照明コントローラーの機能が
実現される。また、照明コントローラーの機能は、例えば、所定のボックス（コントロー
ルボックス）の中にまとめられて構成される。
また、図２には、親器１の外部に設けられる外部画像供給部２０１を示してある。
【００２５】
本実施形態に係る親器１における動作の例を示す。
設定部１０１は、ユーザーにより操作される操作部を有しており、ユーザーにより操作
部が操作されることに応じて、各種の設定が行われる。具体的には、設定部１０１は、複
数の照明装置１１−１〜１１−Ｎのうちで１個以上の照明装置を選択（指定）する機能、
選択した照明装置について照明の度合い（例えば、光量）などの照明に関する条件（照明
条件）を設定する機能、選択した照明装置（ここでは、画像表示機能を有するもの）につ
いて表示対象とする１つ以上の画像などの画像に関する条件（画像条件）を設定する機能
を有する。
なお、設定部１０１の操作部としては、様々なものが用いられてもよく、例えば、キー
、マウス、バー、スイッチなどを用いることができる。また、設定部１０１の操作部とし
ては、例えば、タッチパネルの機能を有する液晶画面を用いることもできる。
【００２６】
ここで、照明条件としては、１個以上の様々な項目の条件が用いられてもよく、例えば
、光量という項目の条件のみが用いられてもよく、または、任意の２個以上の項目の条件
が用いられてもよい。
また、画像条件としては、１個以上の様々な項目の条件が用いられてもよく、例えば、
表示対象とする１つ以上の画像という項目の条件のみが用いられてもよく、または、任意
の２個以上の項目の条件が用いられてもよい。
【００２７】
なお、画像としては、様々なものが用いられてもよく、例えば、必ずしも、テレビジョ
ンの画像や、ビデオの画像や、プラネタリウムの画像などのように、番組の内容を表す画
像ばかりでなく、他の例として、色合いを表現する画像や、風景を表現する画像や、環境
光の中の波を表現する画像などが用いられてもよい。
また、画像としては、例えば、静止画像が用いられてもよく、または、動画像（映像）
が用いられてもよい。
【００２８】
設定表示部１０７は、設定部１０１により選択された照明装置を示す情報と、設定部１
０１により設定された照明条件および画像条件を示す情報を画面に表示する。
また、設定表示部１０７は、ユーザーが設定部１０１の操作部を操作して照明装置を選
択するときにユーザーを補助する情報として、選択することが可能な照明装置１１−１〜
１１−Ｎを示す情報を表示してもよく、また、ユーザーが設定部１０１の操作部を操作し
て照明条件や画像条件を設定するときにユーザーを補助する情報として、設定（例えば、
選択など）することが可能な照明条件の項目や画像条件の項目を示す情報を表示してもよ
い。
なお、設定表示部１０７により表示する情報としては、様々なものが用いられてもよい
。
【００２９】
一例として、設定部１０１の操作部を構成する上下することが可能なバーの上下の位置
に合わせて、制御部１０９が、設定表示部１０７の画面（または、設定部１０１の画面で
もよい）に、対応する照明の光量などをバーで表示し、ユーザーがその表示を見ながら当
該バーを上下に動かしてその位置を調整して、所望の照明の光量など（例えば、シーンに
適した光量など）が表示されるときにユーザーが決定を指示するボタン等を操作すること
で、照明の光量などを設定することができる。
また、一例として、設定部１０１の操作部を構成するスイッチなどが操作されるたびに
、制御部１０９が、設定表示部１０７の画面（または、設定部１０１の画面でもよい）に
現在選択される画像を順次切り替えて表示し、ユーザーがその表示を見ながら当該スイッ
チを操作して現在選択される画像を切り替えていき、所望の画像（例えば、シーンに適し
た画像）が表示されるときにユーザーが決定を指示するボタン等を操作することで、表示
対象の画像などを設定することができる。
【００３０】
ここで、本実施形態では、照明に関する設定と画像に関する設定の両方を共通の設定部
１０１により行う構成としたが、他の構成例として、照明に関する設定と画像に関する設
定とで、それぞれ、別の設定部を備えてもよい。
また、本実施形態では、照明に関する情報の表示と画像に関する情報の表示の両方を共
通の設定表示部１０７により行う構成としたが、他の構成例として、照明に関する情報の
表示と画像に関する情報の表示とで、それぞれ、別の表示部を備えてもよい。
【００３１】
画像情報取得部１０２は、外部画像供給部２０１から画像の情報を入力して取得する。
ここで、外部画像供給部２０１としては、様々なものが用いられてもよく、例えば、有
線のネットワーク、無線のネットワーク、記憶装置（メモリー）、タブレット型コンピュ
ーターなどの携帯端末、携帯電話などを用いることができる。
画像情報記憶部１０５は、画像情報取得部１０２により取得された画像の情報を記憶す
る。画像情報記憶部１０５は、例えば、メモリーを用いて構成される。
【００３２】
シーン操作部１０３は、ユーザーにより操作される操作部を有しており、ユーザーによ
り操作部が操作されることに応じて、複数の異なるシーン（例えば、番号で識別される、
シーン１、シーン２、シーン３、・・・）のうちの１つのシーンを選択する。
なお、シーン操作部１０３の操作部としては、様々なものが用いられてもよく、例えば
、キー、マウス、バー、スイッチなどを用いることができる。一例として、シーン操作部
１０３の操作部として、複数の異なるシーンのそれぞれに対応した同数のオンオフボタン
（シーンボタン）を用いることができ、１個のオンオフボタンがオンに切り替えられると
他のオンオフボタンがオフに切り替えられる構成とすることができる。
【００３３】
照明・画像選択部１０４は、「照明のみ」、「画像のみ」または「連動」のうちの１つ
のモードを選択することができる。
「照明のみ」のモードは、照明の照射と画像の表示に関して、複数の照明装置１１−１
〜１１−Ｎにより照明の照射のみを実行する。つまり、画像の表示は行われない。
「画像のみ」のモードは、照明の照射と画像の表示に関して、複数の照明装置１１−１
〜１１−Ｎ（画像表示機能を有するもの）により画像の表示のみを実行する。つまり、照
明の照射は行われない。
「連動」のモードは、照明の照射と画像の表示に関して、複数の照明装置１１−１〜１
１−Ｎ（画像の表示に関しては、画像表示機能を有するもの）により照明の照射および画
像の表示を実行する。
なお、照明・画像選択部１０４としては、様々な操作部が用いられてもよく、例えば、
キー、マウス、バー、スイッチなどを用いることができる。
【００３４】
図３は、本発明の一実施形態に係る照明・画像選択部１０４を構成する切り替えスイッ
チの概略的な一構成例を示す図である。この切り替えスイッチは、ユーザーがつまみ３０
１を持って回転させることにより、「照明のみ」、「画像のみ」または「連動」のうちの
１つのモードを選択するように切り替える。
ここで、このような切り替えスイッチは、例えば、それぞれのシーン（一例として、そ
れぞれのシーンボタン）毎に１つずつ配置されてもよく、または、全てのシーン（一例と
して、全てのシーンボタン）に共通に１つ配置されてもよい。
また、このような切り替えスイッチは、例えば、コントロールボックス内（照明コント
ローラー内）に配置される。
【００３５】
シーンデータ記憶部１０６は、複数の異なるシーンのそれぞれに対応した照明照射およ
び画像表示を実現するためのデータ（シーンデータ）を各シーンの識別情報と対応付けて
記憶する。
ここで、本実施形態では、各シーンの識別情報に対応したシーンデータは、照明照射を
実行する対象とする照明装置およびその照明条件の情報と、画像表示を実行する対象とす
る照明装置およびその画像条件の情報を有する。つまり、本実施形態では、シーンデータ
は、該当するシーンにおいて、いずれの照明装置によりどのような照明条件で照明照射を
実行するか、および、いずれの照明装置（画像表示機能を有するもの）によりどのような
画像条件で画像表示を実行するかを規定する。
【００３６】
なお、同一の照明装置により、照明照射と画像表示の両方が行われてもよい。
また、各シーンに応じて、例えば、照明照射が行われない照明装置があってもよく、ま
た、画像表示が行われない照明装置（画像表示機能を有するもの）があってもよく、また
、照明照射も画像表示も行われない照明装置（画像表示機能を有するもの）があってもよ
い。
【００３７】
露光・画像情報信号出力部１０８は、複数の照明装置１１−１〜１１−Ｎのそれぞれに
対して、露光信号および画像情報信号を送信する。なお、画像表示機能を有していない照
明装置に対しては、画像情報信号が送信されなくてもよい。
ここで、露光信号は、照明装置に対して照明条件（例えば、光量など）を指定する信号
である。なお、露光信号に、照明装置における照明の照射のオンオフを制御する機能が備
えられてもよい。
【００３８】
また、画像情報信号は、照明装置に対して画像条件（表示対象とする画像の情報など）
を指定する信号である。なお、画像情報信号に、照明装置における画像の表示のオンオフ
を制御する機能が備えられてもよい。
また、本実施形態では、親器１から表示対象とする画像の情報を照明装置（画像表示機
能を有するもの）に出力する（送る）構成としているが、他の構成例として、照明装置（
画像表示機能を有するもの）の記憶部（例えば、メモリ）に画像の情報を記憶しておき、
親器１から表示対象とする画像の情報を識別する情報を照明装置に出力する（送る）こと
で、当該照明装置にその画像の情報を表示させる構成とすることも可能である。
【００３９】
制御部１０９は、親器１における各種の制御を行い、他の各処理部１０１〜１０８によ
り行われる処理を制御する。
制御部１０９は、例えば、設定部１０１により設定される内容を設定表示部１０７の画
面に表示すること、画像情報取得部１０２により取得される画像情報を画像情報記憶部１
０５に記憶すること、設定部１０１やシーン操作部１０３により設定されるシーン毎のシ
ーンデータをシーンデータ記憶部１０６に記憶すること、を行う。
【００４０】
また、制御部１０９は、例えば、シーン操作部１０３により選択されたシーンに対応す
るシーンデータをシーンデータ記憶部１０６から読み出し、読み出したシーンデータの内
容を実現する露光信号や画像情報信号を露光・画像情報信号出力部１０８から出力する。
この場合に、制御部１０９は、必要に応じて、露光・画像情報信号出力部１０８から出力
する画像情報を画像情報記憶部１０５から読み出す。
【００４１】
また、制御部１０９は、例えば、照明・画像選択部１０４により選択されたモードにし
たがって、複数の照明装置１１−１〜１１−Ｎにおける照明照射および画像表示を制御す
る。
具体的には、照明・画像選択部１０４により「連動」のモードが選択された場合には、
制御部１０９は、例えば、シーン操作部１０３により選択されたシーンに対応するシーン
データの内容を実現する露光信号や画像情報信号を露光・画像情報信号出力部１０８から
出力する。
また、照明・画像選択部１０４により「照明のみ」のモードが選択された場合には、制
御部１０９は、例えば、シーン操作部１０３により選択されたシーンに対応するシーンデ
ータの内容のうちの照明照射のみを実現する露光信号（画像情報信号はなくてもよい）を
露光・画像情報信号出力部１０８から出力する。
また、照明・画像選択部１０４により「画像のみ」のモードが選択された場合には、制
御部１０９は、例えば、シーン操作部１０３により選択されたシーンに対応するシーンデ
ータの内容のうちの画像表示のみを実現する画像情報信号（露光信号はなくてもよい）を
露光・画像情報信号出力部１０８から出力する。
【００４２】
なお、照明・画像選択部１０４により「照明のみ」のモードが選択され、制御部１０９
が、シーン操作部１０３により選択されたシーンに対応するシーンデータの内容のうちの
照明照射のみを実現する場合には、例えば、シーンデータの内容で規定された照明条件と
は異なる照明条件が用いられてもよく、一例として、あらかじめ定められた異なる照明条
件が用いられてもよく、他の一例として、シーンデータの内容で規定された照明条件（例
えば、光量など）にあらかじめ定められた変更（例えば、所定倍など）を施した結果の照
明条件が用いられてもよい。
また、照明・画像選択部１０４により「画像のみ」のモードが選択され、制御部１０９
が、シーン操作部１０３により選択されたシーンに対応するシーンデータの内容のうちの
画像表示のみを実現する場合には、例えば、シーンデータの内容で規定された画像条件と
は異なる画像条件が用いられてもよく、一例として、あらかじめ定められた異なる画像条
件が用いられてもよく、他の一例として、シーンデータの内容で規定された画像条件（例
えば、表示対象とする画像）にあらかじめ定められた変更（例えば、表示対象とする画像
の追加または削除など）を施した結果の画像条件が用いられてもよい。
【００４３】
ここで、例えば、露光・画像情報信号出力部１０８から各照明装置１１−１〜１１−Ｎ
への画像の通信（配信）に、電力線通信を用いることも可能である。電力線通信の技術を
用いると、新たな配線や別の種類の配線工事を実施することなく、データ通信が可能であ
る。この場合、全ての照明装置１１−１〜１１−Ｎに通信データの信号（画像のデータを
表す画像情報信号）が配信されるが、モデムがない照明装置（例えば、画像表示機能がな
い照明装置）には単なるノイズでしかない。画像表示機能を有する照明装置にはモデムを
搭載しておき、このような照明装置では、受信した信号（画像情報信号）を画像データへ
変換することで、画像の投影（表示）が可能となる。例えば、画像表示機能を有するが画
像投影（画像表示）を行わない照明装置（照明照射のみを行う照明装置）については、コ
ントロールボックス内のモデムを無効にすることで、データ通信を止めることができる。
また、電力線通信の代わりに、無線通信を用いることも可能である。例えば、コントロ
ールボックス内に無線通信機能を搭載しておくことで、画像表示機能を有する照明装置で
は、無線通信機能を使用して画像の通信が可能である。この場合に、画像の配信を止める
には、例えば、コントロールボックス内の無線通信機能を無効することで、実現が可能で
ある。
【００４４】
次に、本実施形態に係る親器１においてシーン設定を行う処理の手順の一例を示す。
図４は、本発明の一実施形態に係る親器１においてシーン設定を行う処理の手順の一例
を示す図である。
【００４５】
まず、ユーザーは、設定部１０１の操作部を操作して、複数の照明装置１１−１〜１１
−Ｎのうちから、設定を行う対象とする１個以上の照明装置を選択する。そして、ユーザ
ーは、設定部１０１の操作部を操作して、「照明設定」というタイトルを選択する（ステ
ップＳ１）。
次に、ユーザーは、「照明設定」の処理において、設定部１０１の操作部を操作して、
設定を行う対象として選択した照明装置について、照明条件の設定を行う。本実施形態で
は、照明条件の設定として、明るさの調整（光量の調整（調光））を行う（ステップＳ２
）。
【００４６】
次に、ユーザーは、設定部１０１の操作部を操作して、「画像設定」というタイトルを
選択する（ステップＳ３）。
次に、ユーザーは、「画像設定」の処理において、設定部１０１の操作部を操作して、
設定を行う対象として選択した照明装置について、画像条件の設定を行う。本実施形態で
は、画像条件の設定として、表示対象とする画像を選択して（ステップＳ４）、表示対象
とする画像を決定（選択した画像を確定）する（ステップＳ５）。
【００４７】
ここで、ユーザーは、照明装置に関する照明条件や画像条件の設定を継続する場合には
（ステップＳ６）、設定を行う対象とする照明装置を選択する処理へ戻って、上記と同様
な設定処理を行う（ステップＳ１〜ステップＳ５）。
【００４８】
一方、ユーザーは、照明装置に関する照明条件や画像条件の設定を終了して、複数の照
明装置１１−１〜１１−Ｎについて現在設定してある照明条件および画像条件のシーンを
確定して登録する場合には（ステップＳ６）、シーン操作部を操作して、登録対象とする
シーンを選択して決定する。本実施形態では、ユーザーは、登録対象とするシーンを選択
して決定する処理として、それぞれのシーン毎に対応した複数のシーンボタンのうちで、
登録対象とするシーン（例えば、番号で識別されるいずれか１つのシーン）に対応したシ
ーンボタンの長押し（例えば、１秒などの所定時間だけ押すこと）を行う（ステップＳ７
）。
【００４９】
これにより、複数の照明装置１１−１〜１１−Ｎについて現在設定してある照明条件お
よび画像条件のシーンが、登録対象として決定されたシーン（例えば、番号で識別される
いずれか１つのシーン）に登録される。そして、シーン設定の処理が終了する（ステップ
Ｓ８）。
この登録は、制御部１０９が、登録内容を規定するシーンデータをシーンデータ記憶部
１０６に記憶することで行われる。
【００５０】
その後、ユーザーが、シーン操作部１０３の操作を行って、そのシーンを選択すると、
そのシーンに登録された照明条件での照明照射およびそのシーンに登録された画像条件で
の画像表示が実現されるように、制御部１０９が、露光・画像情報信号出力部１０８を介
して、複数の照明装置１１−１〜１１−Ｎのそれぞれについて、照明照射、および、画像
表示（例えば、画像表示機能を有する照明装置のみに対して画像表示）を制御する。
【００５１】
なお、本実施形態では、ユーザーは、希望するシーンに対応するシーンボタンを押すこ
と（長押しではなく、短く押すこと）を行うことで、そのシーンを選択する。また、ユー
ザーは、シーンボタンを押して対応するシーンを再現する際に、照明・画像選択部１０４
（例えば、図３に示される切り替えスイッチ）を操作することで、「照明のみ」のシーン
、「画像のみ」のシーン、または「連動」（照明と画像の両方）のシーンを設定すること
ができる。例えば、ユーザーは、「照明のみ」のシーンを希望する場合には、切り替えス
イッチを「照明のみ」に設定して、希望するシーンボタンを押すことで、照明のみの該当
するシーンを再現することができ、また、「映像のみ」のシーンや「連動」のシーンに関
しても同様である。
【００５２】
ここで、上記したステップＳ１〜ステップＳ８の処理の具体例を示す。
まず、設定部１０１の画面に、「シーン設定」、「照明設定」、「画像設定」、「画像
取込」、「その他」などのボタンを示すメニューが表示される。ユーザーは、設定部１０
１の操作部を操作して、「シーン設定」のボタンを押し、複数の照明装置１１−１〜１１
−Ｎのうちから、設定を行う対象とする１個以上の照明装置を選択する。そして、ユーザ
ーは、設定部１０１の操作部を操作して、「照明設定」のボタンを押し、照明の明るさ（
光量）を設定する（ステップＳ１）。
【００５３】
この際、例えば、設定部１０１の画面（設定表示部１０７の画面でもよい）に、上下の
矢印を表すボタン（例えば、上向きの三角形のボタンと、下向きの三角形のボタン）およ
び光量を表すバーが表示される。ユーザーは、光量を調整するときには、光量を表すバー
を見ながら、上向きや下向きの矢印を表すボタンを押すことで光量を上げたり下げたりさ
せて、光量を調整する。そして、ユーザーは、好みの光量になった段階で、設定部１０１
の画面（設定表示部１０７の画面でもよい）に表示される「決定」を表すボタンを押して
、光量を確定する（ステップＳ２）。
【００５４】
次に、ユーザーは、設定部１０１の操作部を操作して、「画像設定」のボタンを押し、
画像を設定する（ステップＳ３）。
この際、例えば、設定部１０１の画面（設定表示部１０７の画面でもよい）に、上下左
右などを表す矢印（矢印キー）および画像情報記憶部１０５に記憶されている画像を１枚
（もしくは２枚以上を一覧で）表示する。ユーザーは、矢印キーを押して、選択する画像
を変更していき、希望する画像にポインタ（目印となる枠など）を移動させる（ステップ
Ｓ４）。そして、ユーザーが、設定部１０１の画面（設定表示部１０７の画面でもよい）
に表示される「決定」ボタンを押すと、設定部１０１の画面（設定表示部１０７の画面で
もよい）に表示される、選択された画像が決定される（ステップＳ５）。
【００５５】
このようにして、画像が決定されると、設定表示部１０７の画面（設定部１０１の画面
でもよい）に、「シーンボタンのいずれか１つを長押ししてください」というメッセージ
が表示される（ステップＳ６）。このとき、ユーザーが、いずれか１つのシーンボタンを
長押しすると（ステップＳ７）、シーンの設定が行われて、「シーン設定が終了しました
」というメッセージが設定表示部１０７の画面（設定部１０１の画面でもよい）に表示さ
れる。これにより、シーンの設定（シーンの準備）が完了する（ステップＳ８）。
なお、上記の手順のうちで（ステップＳ６など）、ユーザーによる無操作の時間が所定
時間（例えば、３０秒など）経過すると、設定はリセットされて、設定部１０１の画面や
設定表示部１０７の画面は初期画面に戻るようになっている。
【００５６】
以上のように、本実施形態に係る照明システムでは、照明空間に設置された複数の照明
装置１１−１〜１１−Ｎと、複数の照明装置１１−１〜１１−Ｎにおける照明照射および
画像表示をシーン毎に制御する親器１と、を備え、親器１は、複数のシーンのそれぞれに
ついて実行すべき各照明装置１１−１〜１１−Ｎにおける照明条件および画像条件を規定
するシーンデータをシーンデータ記憶部１０６に記憶し、一のシーンが指定された際に、
そのシーンに対応するシーンデータの照明条件および画像条件で規定される照明照射およ
び画像表示を実行するように各照明装置１１−１〜１１−Ｎを制御する。
また、本実施形態に係る照明システムでは、複数の照明装置１１−１〜１１−Ｎのうち
の少なくとも１個は、照明機能と画像表示機能の両方を有する電球型の照明装置である。
【００５７】
以上のように、本実施形態に係る照明システムでは、照明機能と画像表示機能の両方を
有する電球型の照明装置を少なくとも１つ含む複数の照明装置１１−１〜１１−Ｎを効果
的に制御することができる。これにより、本実施形態では、多灯式の照明システムにおい
て、照明および画像を用いた演出（例えば、ライトアップおよびイメージ画像の表示）が
可能である。
【００５８】
例えば、本実施形態に係る照明システムでは、ユーザーの気分に応じて、照明の条件の
みを切り替えることや、画像の条件のみを切り替えることや、照明の条件と画像の条件の
両方を切り替えることが可能であり、ユーザーの選択枝を拡げることができる。これによ
り、本実施形態に係る照明システムでは、照明と合致した画像を例えばボタン１つで空間
に投影することができ、ユーザーは、非常に簡単で手軽に、照明および画像を楽しむこと
ができる。
例えば、拡がりつつある既存の照明システム（照明照射のみのシステム）に画像表示機
能付きの照明装置を導入することで、より簡単に、より快適に、より多彩に、空間演出を
楽しむことができるようになる。基本的には、現在のシステム（照明照射のみのシステム
）において１個以上の照明装置を画像表示機能付きの照明装置に交換することで、様々な
場所で画像を投影することができるようになる。これにより、部屋の模様替えのように、
気軽に、画像を投影する場所を変えることができ、今まで以上に効果的な空間演出を実現
することができる。
【００５９】
現在、ＬＥＤ（Ｌｉｇｈｔ  Ｅｍｉｔｔｉｎｇ  Ｄｉｏｄｅ）を使用する照明の分野で
は、ＬＥＤの特性を活かすべく、また、省エネ対策や、快適な空間を要望するトレンドな
どから、空間のシーンに適した照明を提唱し始めている。１室１灯から１室多灯を広く提
唱している点からも、今後、このような提唱は広く浸透していくと考えられる。
【００６０】
具体的な例として、画像の表示としては、壁面にぼやっと画像を映す手法が用いられて
もよく、シアターのようにスクリーンに画像を投写する手法が用いられてもよく、または
、床に画像を映す手法が用いられてもよい。これらは、各シーンにより変わってもよい。
例えば、画像表示機能を有する照明装置が複数台設置され、だんらん時に提供するシー
ンでは壁面に画像を表示（投写）するプロジェクター（画像表示機能）を有する照明装置
を使用し、食事時に提供するシーンではテーブルに画像を投写するプロジェクター（画像
表示機能）を有する照明装置を使用し、くつろぎ時に提供するシーンでは床や壁面に画像
（例えば、リラックス映像）を投写するプロジェクター（画像表示機能）を有する照明装
置を使用し、シアター時のシーンではスクリーンや壁面等に臨場感を高めるための画像（
例えば、補助画像）を投写するプロジェクター（画像表示機能）を有する照明装置を使用
する。このように、シーンに応じて利用するプロジェクター（画像表示機能）を切り替え
ることができ、手軽にシーンに画像を加えることができる。
【００６１】
また、本実施形態に係る照明システムでは、例えば、ユーザーが、照明だけで過ごすこ
とを希望する場合や、画像だけでくつろぐことを希望する場合や、照明と画像の両方を希
望する場合のように、ユーザーの心境の状況に応じて照明・画像選択部１０４（例えば、
図３に示される切り替えスイッチ）を切り替えることで、手軽に、簡単に、照明のみ、画
像のみ、照明と画像の両方という３つのパターンを実現することができる。これにより、
本実施形態に係る照明システムでは、従来より空間演出の選択枝を増やして、ユーザーに
、快適な生活（空間）を提供することが可能となる。
また、本実施形態に係る照明システムでは、家庭（ホーム）における照明システムに適
用することができるばかりでなく、例えば、店舗における空間演出、ホテルや旅館におけ
る空間演出、飲食店における空間演出などに適用することも可能である。また、適用する
空間としては、様々なものが用いられてもよく、例えば、リビングルーム、寝室、書斎、
キッチンなどが用いられてもよい。
【００６２】
［電球型の照明装置の説明］
次に、図５〜図７を参照して、照明機能と画像表示機能の両方を有する電球型の照明装
置の例を示す。
このような電球型の照明装置は、本実施形態に係る照明システムにおいて、複数の照明
装置１１−１〜１１−Ｎのうちの少なくとも１個として用いられることが可能なものであ
る。
なお、図５〜図７を参照して示す電球型の照明装置は、一例であり、必ずしも、そのま
まの構成のものが本実施形態に係る照明システムに適用されなくてもよく、異なる構成の
もの（例えば、一部の構成（機能）を除去あるいは追加などしたもの）が本実施形態に係
る照明システムに適用されてもよい。
【００６３】
図５は、照明機能と画像表示機能（この例では、画像投写機能）の両方を有する電球型
の照明装置１００１の構成例を模式的に示す図である。
照明装置１００１は、照明装置本体１１０１と、照明装置本体１１０１を既存の照明装
置取り付け具１１０３（例えば、電球取り付け用レセプタクルまたは電球取り付け用ソケ
ット）に接続するための接続部１１０２を備える。
【００６４】
照明装置本体１１０１は、画像投写用の光源部（画像投写用光源部）１２０１と、画像
形成部１２０２と、画像形成部１２０２により形成された画像を投写面に投写するレンズ
１２０３と、照明装置本体１１０１から投写面までの距離を計測することが可能な距離計
測部１２０４と、ユーザーが行う指示動作の様子を撮像することが可能な撮像部１２０５
と、レンズ１２０３に電圧を印加するための２つの電極１２０６、１２０７と、制御部１
２０８と、照明用の光源部（照明用光源部）１２０９を備える。
なお、図５において、実線で表される矢印は電気信号の流れを示し、白抜きで表される
矢印は光の進行を示す。
【００６５】
接続部１１０２は、例えば、白熱電球、電球型蛍光ランプ、電球型ＬＥＤランプなどに
設けられている口金と同様なものである。このため、照明装置１００１は、白熱電球、電
球型蛍光ランプ、電球型ＬＥＤランプなどと同様に、口金を電球取り付け用レセプタクル
または電球取り付け用ソケットなどの照明装置取り付け具１１０３にねじ込むことによっ
て、照明装置取り付け具１１０３に接続する。
【００６６】
図６は、照明機能と画像表示機能（この例では、画像投写機能）の両方を有する電球型
の照明装置１００１の画像投写に関する光学系の構成例を模式的に示す図である。
照明装置１００１の画像投写に関する光学系は、画像投写用光源部１２０１と、画像形
成部１２０２と、投写レンズとして用いられるレンズ１２０３を備えて構成される。この
例では、画像形成部１２０２とレンズ１２０３との組み合わせを画像投写部１４０１と呼
ぶ。
ここで、画像形成部１２０２としては、液晶光変調素子が用いられる。
この例の照明装置１００１の光学系は、単板式の液晶プロジェクターの光学系とほぼ同
様な構成になっている。
【００６７】
画像投写用光源部１２０１は、光源１３０１（例えば、白色発光ダイオード）と、コリ
メーター光学系１３０２と、偏光変換素子１３０３を備える。
光源１３０１は、赤色光、緑色光および青色光を含む光を射出する。光源１３０１は、
画像投写部１４０１の光源として機能する。
【００６８】
コリメーター光学系１３０２は、光源１３０１から射出される光を平行化する光学素子
である。
偏光変換素子１３０３は、コリメーター光学系１３０２を通過する光を偏光変換する素
子である。偏光変換素子１３０３は、入射した光の偏光成分のうち、一方の直線偏光成分
をそのまま透過し、他方の直線偏光成分を光軸１３０４に垂直な方向に反射する偏光分離
層と、偏光分離層で反射された他方の直線偏光成分を光軸１３０４に平行な方向に反射す
る反射層と、反射層で反射された他方の直線偏光成分を一方の直線偏光成分に変換する位
相差板を備える。
【００６９】
画像形成部１２０２（この例では、液晶光変調素子）は、画像投写用光源部１２０１か
らの光を、投写すべき画像情報に応じて変調してフルカラー画像光を射出する光変調素子
である。
また、画像形成部１２０２は、カラーフィルターを有する。このカラーフィルターは、
反射型のダイクロイックフィルターを有するベイヤー配列のカラーフィルターからなり、
画像投写用光源部１２０１からの光を画素毎に、赤色光、緑色光および青色光に分離する
色分離光学系としての機能を有する。なお、色分離光学系としては、様々なものが用いら
れてもよい。
画像形成部１２０２は、偏光変換素子１３０３の側に配置される入射側偏光板と、レン
ズ１２０３の側に配置される射出側偏光板とをさらに有する。この構成により、各色光の
光変調が行われる。
【００７０】
レンズ１２０３は、制御部１２０８により電極１２０６、１２０７に印加される電圧の
大きさに応じて伸縮（厚みが変化）し、これにより、焦点距離の調整（フォーカス調整）
が可能なレンズである。このようなレンズは、公知であり、例えば、２０ボルトの電圧を
電極１２０６、１２０７に印加すると、レンズの厚みが７５０マイクロメートルから３７
５マイクロメートルにまで変化するものなどが存在する。
このようなレンズ１２０３を投写レンズとして用いることにより、画像形成部１２０２
により形成された画像を投写面に拡大投写することができる。
【００７１】
距離計測部１２０４は、照明装置本体１１０１から投写面までの距離を計測（検出）し
、計測した距離のデータを制御部１２０８に出力する。
撮像部１２０５は、ユーザーが行う指示動作の様子を撮像することが可能に設置されて
おり、撮像結果のデータを制御部１２０８に出力する。
照明用光源部１２０９は、照明用の光源として機能する光源を備える。この光源は、例
えば、赤色光、緑色光および青色光を含む光を射出する。
【００７２】
制御部１２０８は、画像投写用光源部１２０１の光源１３０１、画像形成部１２０２、
レンズ１２０３、距離計測部１２０４、撮像部１２０５、電極１２０６、１２０７、照明
用光源部１２０９の光源への電圧の印加を制御する機能を有する。
また、制御部１２０８は、例えば、Ｗｅｂサイトに存在する情報の取得が可能な機能（
Ｗｅｂ情報取得機能）、テレビジョン放送などを受信することが可能な通信機能などを有
する。
また、制御部１２０８は、記憶部を有する。
【００７３】
照明装置１００１では、画像投写用光源部１２０１、画像形成部１２０２およびレンズ
１２０３は、同一の直線上に配置されている。
【００７４】
ここで、本実施形態に係る照明システムに照明装置１００１が適用される場合において
は、例えば、図１および図２に示される親器１からの制御により、照明装置１００１の制
御部１２０８を制御することが可能な構成とされてもよく、これにより、照明装置１００
１の制御部１２０８を介して、照明装置１００１の距離計測部１２０４、撮像部１２０５
、電極１２０６、１２０７のうちの１以上を制御することが可能な構成とされてもよい。
【００７５】
図７は、照明機能と画像表示機能（この例では、液晶光変調素子）の両方を有する電球
型の照明装置１００１において行われる処理の手順の一例を示す図である。
図７に示されるフローチャートでは、主に、照明装置１００１の制御部１２０８により
行われる動作を説明するが、ユーザーにより行われる操作も含まれる。
【００７６】
メインスイッチがオンにされると（ステップＳ１００１）、画像投写用光源部１２０１
の光源１３０１が点灯するとともに、照明用光源部１２０９の光源が点灯する（ステップ
Ｓ１００２）。なお、例えば、画像投写用光源部１２０１の光源１３０１の点灯をオン／
オフ切り替えするスイッチ（画像投写用のメインスイッチ）と、照明用光源部１２０９の
光源の点灯をオン／オフ切り替えするスイッチ（照明用のメインスイッチ）とが、別個に
備えられてもよい。
ここで、メインスイッチのオン／オフの状態は、例えば、ユーザーの操作または動作に
より切り替えることが可能である。また、本実施形態に係る照明システムに照明装置１０
０１が適用される場合においては、例えば、図１および図２に示される親器１からの制御
により、照明装置１００１のメインスイッチのオン／オフの状態を切り替えることが可能
な構成とされてもよい。
【００７７】
また、照明装置１００１において、制御部１２０８は、光源１３０１が点灯したことを
検知（検出）すると、この段階では、白画像を投写する制御を行う。これにより、画像の
投写範囲内には画像が存在しない白色光による照射がなされる。
このとき、照明装置１００１は、照明用として機能する状態となる。
【００７８】
ここで、この例では、照明装置１００１のメインスイッチがオフからオンに切り替えら
れた直後は、照明装置１００１が照明機能のみを動作させて、画像表示機能を停止する構
成としたが、他の構成例として、照明装置１００１のメインスイッチがオフからオンに切
り替えられた直後から、必要に応じて、照明機能と画像表示機能の両方を動作させる構成
が用いられてもよい。
【００７９】
照明装置１００１が照明用として機能している状態において、制御部１２０８は、投写
面までの距離の計測を行うか否かを判定し（ステップＳ１００３）、距離の計測を行うと
判定した場合には、距離計測部１２０４に距離計測の指示を出し、距離計測部１２０４に
より計測された距離のデータを記憶部（図示せず）に保存する（ステップＳ１００４）。
ここで、制御部１２０８は、画像投写開始指示待ちの状態となり、当該画像投写開始指示
待ちの状態において画像投写開始指示が有りか否かを判定する（ステップＳ１００５）。
【００８０】
ここで、ステップＳ１００３において、制御部１２０８が距離計測を行うか否かを判定
する理由は、照明装置本体１１０１と投写面との距離が固定的である場合には、一度、距
離計測を実施すれば、それ以降は距離計測を省略することが可能であるためである。この
場合、距離計測を行うか否かは、例えば、計測された距離データが記憶部に保存されてい
るか否かによって判定することができ、計測された距離データが記憶部に保存されている
ときには距離計測を行わず、計測された距離データが記憶部に保存されていないときには
距離計測を行う。
なお、このような距離データをあらかじめ記憶部に固定的に記憶させておく構成が用い
られてもよい。
【００８１】
また、ステップＳ１００３の処理において、距離計測を行わないと判定した場合には、
制御部１２０８は、距離計測部１２０４に対して距離計測の指示を出力せずに、ステップ
Ｓ１００５の処理へ移行する。
【００８２】
ステップＳ１００５の処理において、所定の画像投写開始指示が出された場合には、制
御部１２０８は、記憶部に保存されている距離データに基づいて、レンズ１２０３に所定
の電圧を印加してレンズ１２０３のフォーカス調整を行い（ステップＳ１００６）、画像
の投写（表示）を開始する（ステップＳ１００７）。投写範囲内に投写される画像は、投
写面までの距離に応じてレンズ１２０３のフォーカス調整がなされているため、例えば、
明瞭な画像（または、意図的にぼかした画像などのように、所望のフォーカス調整の画像
）となる。
【００８３】
ここで、所定の画像投写開始指示は、例えば、ユーザーの操作または動作により切り替
えることが可能である。また、本実施形態に係る照明システムに照明装置１００１が適用
される場合においては、例えば、図１および図２に示される親器１からの制御により、所
定の画像投写開始指示を発することが可能な構成とされる。
【００８４】
なお、ユーザーの動作により画像投写開始指示を出す場合には、ユーザーが照明装置本
体１１０１の下で所定の動作（ジェスチャー）をすることによって画像投写開始指示を出
す。例えば、ユーザーが自身の手を左右に２回振るなどの動作を行う。ユーザーが行うこ
のような動作の様子が撮像部１２０５により撮像され、その撮像データが制御部１２０８
に送られ、制御部１２０８は、その撮像データに基づいてユーザーがどのような動作を行
ったかを判定して、その判定結果に対応した制御を行う。このような制御は、例えば、ユ
ーザーが行う指示動作と制御すべき内容とを対応付けておくことにより実現することが可
能である。
【００８５】
そして、照明装置１００１が画像投写用として機能している状態において、制御部１２
０８は、所定の画像投写終了指示の待ちの状態となり、画像投写終了指示が有るか否かを
判定する（ステップＳ１００８）。
なお、所定の画像投写終了指示についても、所定の画像投写開始指示と同様に、例えば
、ユーザーの操作または動作により切り替えることが可能である。また、本実施形態に係
る照明システムに照明装置１００１が適用される場合においては、例えば、図１および図
２に示される親器１からの制御により、所定の画像投写終了指示を発することが可能な構
成とされる。
【００８６】
ステップＳ１００８の処理において、制御部１２０８は、所定の画像投写終了指示が出
されたと判定した場合には、画像投写を終了するとともに、レンズ１２０３への電圧印加
を終了する（ステップＳ１００９）。これにより、照明装置１００１は、照明用として機
能する状態となる。
【００８７】
ここで、図７に示されるフローチャートでは、照明装置１００１が、照明機能として動
作して、その上で、画像投写機能として動作を開始してその動作を終了する場合における
処理の手順の一例を示したが、照明機能と画像投写機能の動作のさせ方としては、様々な
態様が用いられてもよい。
具体例として、本実施形態に係る照明システムに照明装置１００１が適用される場合に
おいては、図１および図２に示される親器１からの制御により、当該照明装置１００１に
おける照明照射および画像投写（画像表示）が制御され、例えば、所定の照明条件で照明
装置１００１に照明照射のみを実行させることや、所定の画像条件で照明装置１００１に
画像投写のみを実行させることや、所定の照明条件および所定の画像条件で照明装置１０
０１に照明照射および画像投写の両方を実行させることができる。
【００８８】
以上のように、図５および図６に示される照明装置１００１は、照明機能と画像投写機
能（画像表示機能）を有し、照明用の光源として機能する照明用光源部１２０９と、画像
投写用の光源として機能する画像投写用光源部１２０１と、前記画像投写用光源部１２０
１からの光を画像投写用の画像情報に基づいて変調して画像光を形成する画像形成部１２
０２と、前記画像形成部１２０２により形成された画像光を投写面に投写するレンズ１２
０３と、前記画像投写用光源部１２０１、前記照明用光源部１２０９および前記画像形成
部１２０２を制御する制御部１２０８と、照明装置取り付け具（例えば、既存の照明装置
取り付け具）に電気的に接続することが可能な接続部１１０２と、を備える。
【００８９】
このように、図５および図６に示される照明装置１００１では、照明装置本体１１０１
内に、画像投写部１４０１（画像形成部１２０２およびレンズ１２０３）を組み込む構成
としているため、グローブなどの有無に関わらずに、照明機能と画像投写機能を有する照
明装置を構成することができる。このため、例えば、画像投写機能を有する照明装置とし
て適用することが可能な照明装置の種類の制限を少なくすることができる。
【００９０】
また、照明装置１００１では、例えば、既存の照明装置取り付け具に電気的に接続する
ことが可能な接続部１１０２を備えているため、白熱電球、電球型蛍光ランプ、電球型Ｌ
ＥＤなどを取り付ける場合と同様に、照明装置１００１を取り付けることができる。この
ため、専門業者などに頼ることなく、一般のユーザーが照明装置１００１を手軽に所望と
する場所に取り付けることができる。
【００９１】
また、照明装置１００１では、電圧の印加によりフォーカス調整が可能なレンズ１２０
３を用いており、投写面までの距離に応じた電圧を印加することにより、フォーカス調整
を行うことが可能である。このため、照明装置１００１を画像投写用として用いる場合に
は、投写面に投写される画像を、より明瞭な画像（または、その他の所望とするフォーカ
ス調整の画像）とするための調整を（例えば、自動的に）行うことが可能である。
【００９２】
ここで、他の構成例として、照明装置１００１に、音声を出力する音声出力部を備えて
もよい。音声出力部は、例えば、スピーカなどを用いて構成される。音声出力部により、
例えば、音声を伴う画像を画像投写機能により投写する際にその音声を同時に出力するこ
とや、あるいは、音声のみを出力することなどが可能である。
【００９３】
また、他の構成例として、照明装置本体１１０１の種類や形状などとしては、様々なも
のが用いられてもよい。例えば、形状としては、球形以外に、円筒形、直方体などの形状
が用いられてもよい。
また、他の構成例として、照明装置１００１は、天井以外に、壁や柱などに取り付けら
れてもよい。また、照明装置１００１は、例えば、ハンディライトとして構成されてもよ
く、この場合、接続部１１０２をハンディライトの電球取り付け用のソケットに適合させ
る。
【００９４】
また、図５および図６に示される照明装置１００１では、天井に直接取り付けられる照
明装置取り付け具１１０３に照明装置１００１を取り付けたが、他の構成例として、天井
から接続コードによって照明装置取り付け具（例えば、電球用ソケットなど）が吊り下げ
られる場合には、その照明装置取り付け具に照明装置１００１を取り付けるようにする。
また、図５および図６に示される照明装置１００１では、接続部１１０２として、電球
取り付け用レセプタクルや電球取り付け用ソケットに接続することが可能な接続具（例え
ば、ねじ込み式の口金）を用いる場合を示したが、他の構成例として、照明装置取り付け
具として、引っ掛けシーリングや引っ掛けローゼットが天井などに取り付けられている場
合には、引っ掛けシーリングや引っ掛けローゼットに接続することが可能な接続具が用い
られてもよく、この場合、例えば、照明装置本体１１０１から接続コードを延出して、当
該接続コードの先端に、引っ掛けシーリングや引っ掛けローゼットに接続することが可能
な接続具を取り付ける。
【００９５】
また、他の構成例として、画像形成部１２０２における光変調素子としては、液晶光変
調素子以外に、デジタルマイクロミラーデバイスなどを用いたものであってもよい。
また、他の構成例として、照明装置１００１が照明用として機能する場合には、液晶光
変調素子を白画像にして画像投写部１４０１から投写する以外に、液晶光変調素子が透明
（画像を生成せず、透明のまま）の状態でもよく、液晶光変調素子が機械的に画像投写用
光源部１２０１から回避するようにしてもよい。この構成により、所定の明るさを効率的
に得ることができる。
また、図５および図６に示される照明装置１００１では、フォーカス調整として、レン
ズ１２０３の電極に電圧を印加することでレンズ１２０３の厚みを制御するが、他の構成
例として、レンズをねじ式として、手動でフォーカス調整する構成としてもよい。この構
成により、例えば、部品点数を削減することができ、照明装置をより簡素化することがで
き、より軽量化を図ることができる。
【００９６】
また、他の構成例として、照明装置１００１では、例えば、距離計測部１２０４、撮像
部１２０５、フォーカス調整が可能なレンズユニット（レンズ１２０３および電極１２０
６、１２０７）のうちの１つ以上（および、それに関連する制御部１２０８の機能）を備
えない構成が用いられてもよい。
また、他の構成例として、照明装置１１０１では、例えば、照明用光源部１２０９が含
まれる空間の部分と、画像投写用光源部１２０１や画像形成部１２０２やレンズ１２０３
が含まれる空間の部分とを隔てる仕切りの部位（隔壁部）を備えてもよい。
また、他の構成例として、照明装置１００１では、以上に示していない処理部（および
、それに関連する制御部１２０８の機能）を備える構成が用いられてもよい。
【００９７】
［照明用光源部と画像投写用光源部を共通化した電球型の照明装置の説明］
ここで、図５〜図７では、照明用の光源と、画像投写用（画像表示用）の光源とで、別
個な光源を備える照明装置（例えば、電球型の照明装置）を本実施形態に係る照明システ
ムに適用する場合を示したが、他の構成例として、照明用の光源と、画像投写用（画像表
示用）の光源とで、共通な光源を備える照明装置（例えば、電球型の照明装置）を本実施
形態に係る照明システムに適用することも可能である。
【００９８】
一構成例として、図５に示される構成において、照明用光源部１２０９を備えずに、画
像投写用光源部（この構成例において、単に、光源部と言う）１２０１を照明用と画像投
写用（画像表示用）の両方に用いることが可能である。
この場合、照明装置１００１では、光源部１２０１の光源１３０１は、照明用の光源と
して機能するとともに画像投写用の光源として機能する。このため、照明用の光源および
画像投写用の光源を個々に設ける必要がなく、構成を簡素化することができ、かつ、軽量
化を図ることができる。
例えば、照明装置１００１が照明用として機能する場合には、画像投写部１４０１から
白画像が投写されるようにする。
【００９９】
また、図７に示されるフローチャートにおけるステップＳ１００２の処理に関して、照
明装置１００１において、制御部１２０８は、光源１３０１が点灯したことを検知（検出
）すると、この段階では、白画像を投写する制御を行う。これにより、照明の投写範囲内
には画像が存在しない白色光による照明がなされ、この状態は照明装置１００１が照明用
として機能している状態である。
【０１００】
ここで、この例では、照明装置１００１のメインスイッチがオフからオンに切り替えら
れた直後は、照明装置１００１が照明機能のみを動作させて、画像表示機能を停止する構
成としたが、他の構成例として、照明装置１００１のメインスイッチがオフからオンに切
り替えられた直後から、必要に応じて、画像表示機能を動作させる構成が用いられてもよ
い。
【０１０１】
なお、レンズ１２０３のフォーカス調整は、画像を投写する場合だけではなく、照明と
して使用する場合にも使用することができる。例えば、照明用としての光が、可能な限り
広範囲に広がる（光が拡散する）ようにレンズ１２０３のフォーカス調整を行うと、照明
装置本体１１０１から照射される光は標準の投写範囲よりも広い範囲を照射することがで
きる。逆に、照明用としての光が、標準の投写範囲内に投写されるようにレンズ１２０３
のフォーカス調整を行うと、照明装置本体１１０１から照射される光はスポットライト的
に照射することができる。このように、照明装置１００１を照明用として機能させる場合
においても、レンズ１２０３のフォーカス調整を行うことにより、照明用としての光の広
がり具合や光の均一性などを調整することができる。
【０１０２】
また、図７に示されるフローチャートにおいて、照明装置１００１が照明用として機能
している状態において、制御部１２０８は、投写面までの距離の計測を行うか否かを判定
し（ステップＳ１００３）、距離の計測を行うと判定した場合には、距離計測部１２０４
に距離計測の指示を出し、距離計測部１２０４により計測された距離のデータを記憶部（
図示せず）に保存する（ステップＳ１００４）。ここで、制御部１２０８は、画像投写開
始指示待ちの状態となり、当該画像投写開始指示待ちの状態において画像投写開始指示が
有りか否かを判定する（ステップＳ１００５）。
なお、図７に示されるフローチャートに関して、他の部分については、例えば、照明用
光源部１２０９と画像投写用光源部１２０１とを別個に備える電球型の照明装置の場合と
同様な処理を用いることが可能である。
【０１０３】
［以上の実施形態に係る構成例］
一構成例として、親器１と、前記親器１により制御される複数の照明装置１１−１〜１
１−Ｎと、を備え、前記複数の照明装置１１−１〜１１−Ｎのうちの少なくとも１個は、
照明機能と画像表示機能を有し、共通または別個に設けられる照明用の光源および画像表
示用の光源（図５および図６に示される例では、共通の光源１３０１）と、前記画像表示
用の光源からの光を画像表示用の画像情報に基づいて変調して画像光を形成する画像形成
部１２０２と、前記画像形成部１２０２により形成された画像光を投写面に投写するレン
ズ１２０３と、照明装置取り付け具１１０３に電気的に接続することが可能な接続部１１
０２と、を備える電球型の照明装置１００１である、ことを特徴とする照明システムであ
る。
【０１０４】
一構成例として、前記親器１は、複数のシーンのそれぞれについて、前記複数の照明装
置１１−１〜１１−Ｎのそれぞれにおける照明照射に関する条件および画像表示に関する
条件を規定するデータであるシーンデータを記憶するシーンデータ記憶部１０６と、ユー
ザーにより操作されて、前記複数のシーンのうちのいずれか１つのシーンの指定を受け付
けるシーン操作部１０３と、前記シーン操作部１０３により指定されたシーンに対応して
前記シーンデータ記憶部１０６に記憶されるシーンデータで規定される前記照明照射に関
する条件および前記画像表示に関する条件に基づいて、前記複数の照明装置１１−１〜１
１−Ｎのそれぞれを制御する制御部１０９と、を備える、ことを特徴とする照明システム
である。
【０１０５】
一構成例として、前記親器１は、ユーザーにより操作されて、複数のシーンのそれぞれ
について前記複数の照明装置１１−１〜１１−Ｎのそれぞれにおける照明照射に関する条
件および画像表示に関する条件を規定するデータであるシーンデータにより規定される前
記複数の照明装置１１−１〜１１−Ｎのそれぞれにおける照明照射に関する条件および画
像表示に関する条件を設定する設定部１０１を備える、ことを特徴とする照明システムで
ある。
【０１０６】
一構成例として、前記親器１は、ユーザーにより操作されて、照明のみ、画像のみ、ま
たは照明と画像の連動のうちのいずれか１つを選択する照明・画像選択部１０４を備え、
前記制御部１０９は、前記照明・画像選択部１０４により照明のみが選択された場合には
、前記複数の照明装置１１−１〜１１−Ｎにより照明照射のみを実行させるように制御し
、また、前記照明・画像選択部１０４により画像のみが選択された場合には、前記複数の
照明装置１１−１〜１１−Ｎにより画像表示のみを実行させるように制御し、また、前記
照明・画像選択部１０４により照明と画像の連動が選択された場合には、前記複数の照明
装置１１−１〜１１−Ｎにより照明照射および画像表示を実行させるように制御する、こ
とを特徴とする照明システムである。
【０１０７】
［以上の実施形態のまとめ］
以上、この発明の実施形態について図面を参照して詳述してきたが、具体的な構成はこ
の実施形態に限られるものではなく、この発明の要旨を逸脱しない範囲の設計等も含まれ
る。
【０１０８】
なお、以上に説明した照明システムにおける任意の構成部（例えば、親器１や、各照明
装置１１−１〜１１−Ｎ）の機能を実現するためのプログラムを、コンピューター読み取
り可能な記録媒体に記録し、そのプログラムをコンピューターシステムに読み込ませて実
行するようにしてもよい。なお、ここで言う「コンピューターシステム」とは、ＯＳ（Ｏ
ｐｅｒａｔｉｎｇ  Ｓｙｓｔｅｍ）や周辺機器等のハードウェアを含むものとする。また
、「コンピューター読み取り可能な記録媒体」とは、フレキシブルディスク、光磁気ディ
スク、ＲＯＭ（Ｒｅａｄ  Ｏｎｌｙ  Ｍｅｍｏｒｙ）、ＣＤ（Ｃｏｍｐａｃｔ  Ｄｉｓｋ
）−ＲＯＭ等の可搬媒体、コンピューターシステムに内蔵されるハードディスク等の記憶
装置のことを言う。さらに「コンピューター読み取り可能な記録媒体」とは、インターネ
ット等のネットワークや電話回線等の通信回線を介してプログラムが送信された場合のサ
ーバーやクライアントとなるコンピューターシステム内部の揮発性メモリー（ＲＡＭ：Ｒ
ａｎｄｏｍ  Ａｃｃｅｓｓ  Ｍｅｍｏｒｙ）のように、一定時間プログラムを保持してい
るものも含むものとする。
【０１０９】
また、上記のプログラムは、このプログラムを記憶装置等に格納したコンピューターシ
ステムから、伝送媒体を介して、あるいは、伝送媒体中の伝送波により他のコンピュータ
ーシステムに伝送されてもよい。ここで、プログラムを伝送する「伝送媒体」は、インタ
ーネット等のネットワーク（通信網）や電話回線等の通信回線（通信線）のように情報を
伝送する機能を有する媒体のことを言う。
また、上記のプログラムは、前述した機能の一部を実現するためのものであってもよい
。さらに、上記のプログラムは、前述した機能をコンピューターシステムにすでに記録さ
れているプログラムとの組み合わせで実現できるもの、いわゆる差分ファイル（差分プロ
グラム）であってもよい。
【符号の説明】
【０１１０】
１…親器、１１−１〜１１−Ｎ…照明装置、１０１…設定部、１０２…画像情報取得部、
１０３…シーン操作部、１０４…照明・画像選択部、１０５…画像情報記憶部、１０６…
シーンデータ記憶部、１０７…設定表示部、１０８…露光・画像情報信号出力部、１０９
…制御部、２０１…外部画像供給部、３０１…つまみ、１００１…照明装置、１１０１…
照明装置本体、１１０２…接続部、１１０３…照明装置取り付け具、１２０１…画像投写
用光源部、１２０２…画像形成部、１２０３…レンズ、１２０４…距離計測部、１２０５
…撮像部、１２０６、１２０７…電極、１２０８…制御部、１２０９…照明用光源部、１
３０１…光源、１３０２…コリメーター光学系、１３０３…偏光変換素子、１３０４…光
軸、１４０１…画像投写部。
【図１】
2014032750.tif 000003
【図２】
2014032750.tif 000004
【図３】
2014032750.tif 000005
【図４】
2014032750.tif 000006
【図５】
2014032750.tif 000007
【図６】
2014032750.tif 000008
【図７】
2014032750.tif 000009